(57)【特許請求の範囲】
【請求項１】
多数のパチンコ機が並設されると共にそのほぼ中央部にパチンコ玉を上部に揚送する玉揚送装置を設置し、その玉揚送装置の一側に並設されるパチンコ機から排出されるパチンコ玉を回収する第１の回収通路と玉揚送装置の他側に並設されるパチンコ機から排出されるパチンコ玉を回収する第２の回収通路とが接続される貯留タンクが内蔵されたパチンコ島台において、
前記貯留タンクには、前記第１の回収通路の一部が内在され、その内部下流側に前記第１の回収通路と第２の回収通路とからそれぞれ排出されるパチンコ玉の合流部が当該貯留タンクの下流端側に形成されると共に、当該合流部が該合流部の上部を覆うように固定される圧抜き板を設けることにより内部に貯留されるパチンコ玉の玉圧を受けない状態で形成され、
前記合流部から排出されるパチンコ玉を前記玉揚送装置の導入樋に供給するようにしたことを特徴とするパチンコ島台。
【請求項２】
前記貯留タンクは、傾斜状の底板と前板と後板と側板とによって上面が開放した直方体状のボックスとして構成され、
前記合流部は、前記圧抜き板の下方であって前記貯留タンクの下流端側の底板に固定されて貯留玉を一方の側板に向けて誘導する誘導板によって形成される合流通路を含み、
前記第１の回収通路の末端を前記合流通路に臨ませると共に前記第２の回収通路の末端を前記前板の前記圧抜き板より下部に形成される連絡開口に接続し、該連絡開口に対面する位置に連絡開口から排出されるパチンコ玉を前記合流通路に導く垂直板を立設したことを特徴とする請求項１記載のパチンコ島台。
【請求項３】
前記第１の回収通路の貯留タンク内に内在される部分の末端を前記合流通路の上流側で前記底板よりも高い位置に臨ませると共に、前記垂直板と前記前板とで形成される移送玉通路の末端を前記合流通路の下流側で前記底板よりも高い位置に臨ませ、
前記第１の回収通路及び前記第２の回収通路から排出されるパチンコ玉を前記貯留タンクに貯留されるパチンコ玉より優先して前記玉揚送装置の導入樋に供給するようにしたことを特徴とする請求項２記載のパチンコ島台。
【発明の詳細な説明】
【０００１】
【発明の属する技術分野】
本発明は、多数のパチンコ機が並設されると共にそのほぼ中央部にパチンコ玉を上部に揚送する玉揚送装置を設置し、その玉揚送装置の一側に並設されるパチンコ機から排出されるパチンコ玉を回収する第１の回収通路と玉揚送装置の他側に並設されるパチンコ機から排出されるパチンコ玉を回収する第２の回収通路とが接続される貯留タンクが内蔵されたパチンコ島台に関するものである。
【０００２】
【従来の技術】
近年、遊技者が獲得した賞球を玉返却装置を介してパチンコ島台に直接返却して、従来のように景品交換場に返却された賞球を各パチンコ島台に還流するための機構を省略するものが提案されている。このようなパチンコ島台には、返却されるパチンコ玉を貯留するために大型の貯留タンクが内蔵されている。
【０００３】
このような貯留タンクを備えたパチンコ島台として、出願人は、先に特願平７−５６６８４号（特開平８−２２４３５４号として出願公開されている）を提案した。この先行技術は、玉揚送装置の一側に並設されるパチンコ機から排出されるパチンコ玉を回収する第１の回収通路と玉揚送装置の他側に並設されるパチンコ機から排出されるパチンコ玉を回収する第２の回収通路とが貯留タンクに接続され、その貯留タンクからのみ玉揚送装置にパチンコ玉を供給するようになっている。
【０００４】
【発明が解決しようとする課題】
しかして、貯留タンクに内在されない第２の回収通路の末端が、ただ単に貯留タンクの前板の中程に形成された接続口に接続されているだけであるため、貯留タンク内に多量のパチンコ玉が貯留されている場合には、第２の回収通路から回収されるパチンコ玉がその貯留玉によって閉塞されるため、貯留タンク内に流入し得ない構造となっている。このため、第２の回収通路によって回収されたパチンコ玉であってパチンコ機から排出された汚れたパチンコ玉が第２の回収通路に滞った状態が長く続くために第２の回収通路内で玉詰まり等のトラブルが発生するという欠点があった。本発明は、上記した事情に鑑みなされたもので、その目的とするところは、パチンコ機から排出されて回収通路によって貯留タンク内に回収されたパチンコ玉を貯留されるパチンコ玉より優先して玉揚送装置に供給することができるパチンコ島台を提供することにある。
【０００５】
【課題を解決するための手段】
上記した目的を達成するために本発明が採用した具体的な解決手段について図面を参照して説明する。図１に示すように、多数のパチンコ機２が並設されると共にそのほぼ中央部にパチンコ玉を上部に揚送する玉揚送装置５を設置し、その玉揚送装置５の一側に並設されるパチンコ機２から排出されるパチンコ玉を回収する第１の回収通路９ａ，３４と玉揚送装置５の他側に並設されるパチンコ機２から排出されるパチンコ玉を回収する第２の回収通路９ｂ，３４ａ，４３とが接続される貯留タンク２０が内蔵されたパチンコ島台１において、前記貯留タンク２０には、前記第１の回収通路９ａ，３４の一部であるアウト玉バイパス誘導路３４が内在され、その内部下流側に前記アウト玉バイパス誘導路３４と第２の回収通路９ｂ，３４ａ，４３とからそれぞれ排出されるパチンコ玉の合流部４６が当該貯留タンク２０の下流端側に形成されると共に、当該合流部４６が該合流部４６の上部を覆うように固定される圧抜き板３６，３７を設けることにより内部に貯留されるパチンコ玉の玉圧を受けない状態で形成され、前記合流部４６から排出されるパチンコ玉を前記玉揚送装置５の導入樋５ａに供給するようにしたことを特徴とするものである。
【０００６】
このように構成することにより、第２の回収通路９ｂ，３４ａ，４３から貯留タンク２０に移送されるパチンコ玉が貯留タンク２０に貯留される玉圧に邪魔されることなく貯留タンク２０内に移送され且つ合流部４６からスムーズに玉揚送装置５に供給されるものである。また、合流部４６を貯留タンク２０内に形成したので、合流部を貯留タンク２０の外側に形成する場合に比べて、貯留タンク２０から玉揚送装置５までの距離を短くすることができるため、貯留タンク２０の傾斜底板２２の下流端を低くすることができ、これによって貯留タンク２０の玉の貯留量を増大することができる。更に、予め合流部４６を貯留タンク２０内に形成したことにより、従来のように合流部を貯留タンクの外側に取り付ける作業を遊技場でしていた場合に比べて作業能率が向上すると共に、製造工場で大量生産することができるという利点もある。
【０００７】
また、図４に示すように、前記貯留タンク２０は、傾斜状の底板２２と前板２５と後板２４と側板２３とによって上面が開放した直方体状のボックスとして構成され、前記合流部４６は、前記圧抜き板３６，３７の下方であって前記貯留タンク２０の下流端側の底板２２に固定されて貯留玉を一方の側板２３に向けて誘導する誘導板３８によって形成される合流通路４７を含み、前記第１の回収通路９ａ，３４の末端であるアウト玉バイパス誘導路３４の端部を前記合流通路４７に臨ませると共に前記第２の回収通路９ｂ，３４ａ，４３の末端である連絡樋４３の端部を前記前板２５の前記圧抜き板３６より下部に形成される連絡開口４２に接続し、該連絡開口４２に対面する位置に連絡開口４２から排出されるパチンコ玉を前記合流通路４７に導く垂直板４０を立設することにより、第１の回収通路９ａ，３４、及び第２の回収通路９ｂ，３４ａ，４３を流下するパチンコ玉、貯留タンク２０に貯留されるパチンコ玉を合流通路４７でスムーズに合流させることができる。
【０００８】
更に、図５に示すように、前記第１の回収通路９ａ，３４の貯留タンク内２０に内在される部分であるアウト玉バイパス誘導路３４の末端を前記合流通路４７の上流側で底板２２よりも高い位置に臨ませると共に、前記垂直板４０と前板２５とで形成される移送玉通路４１の末端を前記合流通路４７の下流側で底板２２よりも高い位置に臨ませ、前記第１の回収通路９ａ，３４及び前記第２の回収通路９ｂ，３４ａ，４３から排出されるパチンコ玉を前記貯留タンク２０に貯留されるパチンコ玉より優先して前記玉揚送装置５の導入樋５ａに供給することにより、パチンコ機２で使用されて汚れたパチンコ玉を優先的に玉揚送装置５で研磨して揚送することができ、パチンコ玉の研磨効率を向上させることができると共に、長期的に見れば、貯留タンク２０に貯留されるパチンコ玉のほとんどが研磨済のパチンコ玉となって貯留タンク２０をきれいに保つことができる。
【０００９】
【発明の実施の形態】
以下、図面を参照して本発明の実施形態について説明する。まず、図１及び図２を参照して、本実施形態に係るパチンコ島台１の概略構成について説明する。図１は、実施形態に係るパチンコ島台１の内部を一側から見た側面図であり、図２は、パチンコ島台１のほぼ中央部を同じく一側から見た側面図であって玉揚送装置５部分を省略してオーバーフローボックス１０部分を表示したものである。
【００１０】
図において、パチンコ島台１は、周知のように、直方体状に枠組み構成され、その長手方向側面中央にパチンコ機２を背向列設するようになっている。また、パチンコ島台１には、各パチンコ機２に挟持されるように台間玉貸機３が設けられている。この台間玉貸機３は、パチンコ機２と１対１対応するように設けられていると共に、硬貨又は紙幣、あるいはプリペイドカードによって遊技玉を貸し出すようになっている。なお、図示しないがパチンコ島台１には、遊技者が獲得した賞球を返却する玉返却装置が付設されるが、その付設箇所は、後述する玉揚送装置収納部４の隣接する１つのパチンコ機２を取り除いてその個所に設置するか、あるいは島端の外側に設置するかのいずれかである。いずれの場合でも、後述する大型の貯留タンク２０が設置される側に設けることが望ましい。なお、玉返却装置には、返却口が形成され、その返却口は、図示しないが電気的駆動源（例えば、モータやソレノイド）によって開閉駆動されるようになっている。
【００１１】
また、パチンコ島台１のほぼ中央には、玉揚送装置収納部４が構成され、該玉揚送装置収納部４内に玉揚送装置５が収納設置されている。本実施形態に係る玉揚送装置５は、詳細には説明しないが帯状の搬送ベルトによってパチンコ玉を揚送するものであり、その帯状の搬送ベルトがパチンコ島台１の長手方向と直交するように設置されて下部の導入樋５ａから導入したパチンコ玉を上部に研磨しながら揚送して上部の排出樋５ｂから排出するものである。なお、導入樋５ａを一方の貯留タンク２０にのみ対面するように設けた理由として、搬送ベルト方式の玉揚送装置５においては、揚送する玉を内部で一列状に整列させて揚送する方式を採用しているため、整列機能を有する導入樋５ａに万遍なくパチンコ玉を供給しないとパチンコ玉の揚送効率が悪くなるという欠点がある。しかして、導入樋５ａにパチンコ玉を万遍なく供給するためには、パチンコ玉の流下方向と導入樋５ａにおける玉の整列方向とが一致することが望ましい。このような望ましい配置にするために本実施形態のように導入樋５ａを一方の貯留タンク２０にのみ対面させてパチンコ玉の流下方向と導入樋５ａにおける玉の整列方向とを一致させたものである。
【００１２】
玉揚送装置５の上部には、揚送されたパチンコ玉を一時的に貯留する上部タンク６，７が設けられ、その上部タンク６，７から左右に補給樋８が傾斜状に設けられており、上部タンク６，７からパチンコ玉を流下させるようになっている。なお、上部タンク６，７は、玉揚送装置５の左右に配置される上部主タンク６と上部従タンク７とから構成され、排出樋５ｂから排出されたパチンコ玉は、一旦上部主タンク６に受け入れられた後、まず、最優先で上部主タンク６に接続される右補給樋８にパチンコ玉を補給し、次いで過剰のパチンコ玉を上部従タンク７に移送して該上部従タンク７に接続される左補給樋８にパチンコ玉を補給し、更に過剰のパチンコ玉を上部主タンク６から後述するオーバーフローボックス１０の第１誘導片１４に誘導するようになっている。
【００１３】
補給樋８には、各パチンコ機２に対応して分配シュート（図示しない）が設けられ、補給樋８を流下するパチンコ玉を取り込むようになっている。分配シュートによって取り込まれたパチンコ玉は、分配シュートの下部に設けられる計数装置（図示しない）によって計数された後、パチンコ機２の背面上部に設けられる賞球タンクあるいは台間玉貸機３に供給され、遊技によって遊技者に払い出される賞球あるいは遊技玉として使用される。
【００１４】
一方、各パチンコ機２から排出される使用済玉は、計数機能を有するアウト玉回収箱（図示しない）から下方に排出される。アウト玉回収箱から排出されたパチンコ玉は、パチンコ島台１の両端部からそのほぼ中央に立設される玉揚送装置５の下部に向けて傾斜状に設けられるアウト玉回収樋９ａ，９ｂに落下せしめられる。ただし、アウト玉回収樋９ａ，９ｂの下流側の一部は、後に詳述する貯留タンク２０，２１内に設けられるようになっている。しかして、図示の実施形態において、玉揚送装置５の両サイドには、貯留タンク２０，２１が設けられるが、玉揚送装置５の導入樋５ａが対面する貯留タンク２０は、大型であってパチンコ機２の横幅寸法の３〜４台分に相当する長さに形成されており（所謂１ユニット島の長さ）、その貯留タンク２０の反対側に配置される貯留タンク２１は、小型であってパチンコ機２の横幅寸法の１台分に相当する長さに形成されている。具体的には、貯留タンク２０，２１に貯留されるパチンコ玉数は、当該パチンコ島台１に設置される複数のパチンコ機２の各種の遊技状態に十分対処し得る程度（例えば、約２０万個と約５万個）の大きさにそれぞれ設計される。なお、この貯留タンク２０，２１の詳細な構造については、後に詳述する。
【００１５】
上記した貯留タンク２０，２１には、前記上部主タンク６からオーバフローしたパチンコ玉を下部に還流するオーバーフローボックス１０がそれぞれ接続されている。オーバーフローボックス１０は、玉揚送装置５の背面空間（図１の手前側空間）を利用する形で設けられた直方体状のボックスであり、図２に示すように、その内部が分岐仕切１３によって縦方向に仕切られている。分岐仕切１３は、オーバーフローボックス１０の一側に寄せて設けられ、その幅広領域に連通する一側の通路内に複数の落下勢防止片１６を段差状に交互に設けて優先通路１１を構成し、その幅狭領域に連通する他側の通路内にも複数の落下勢防止片１６を段差状に交互に設けて非優先通路１２を構成している。即ち、上部主タンク６からオーバーフローしたパチンコ玉は、第１誘導片１４及び第２誘導片１５を介して優先通路１１に優先的に導かれ、その優先通路１１が満杯となったときに非優先通路１２に溢れ出るようになっている。そして、優先通路１１は、優先接続樋１８を介して図１の右側の貯留タンク２０（以下、優先貯留タンク２０という場合がある）に連通され、非優先通路１２は、非優先接続樋１９を介して図１の左側の貯留タンク２１（以下、非優先貯留タンク２１という場合がある）に連通するようになっている。このように、本実施形態においては、オーバーフロー機構を従来のフレキシブルパイプに代えてボックス状に構成したので、還流されるパチンコ玉による騒音の発生を極めて小さくすることができると共に、還流機能だけでなく相当量のパチンコ玉（本実施形態においては、約２〜３万個）を貯留する貯留機能もあるので、従来使用されていなかった空間を利用してパチンコ島台１内部における玉の貯留空間として有効に利用し得る。なお、非優先通路１２の中程よりやや上部内側に満タン検出センサ１７が取り付けられ、この満タン検出センサ１７が貯留玉を検出したときには、玉揚送装置５の駆動が停止されるようになっている。
【００１６】
また、優先貯留タンク２０の内側側壁には、貯留玉量を検出するための玉量検出センサ４８が設けられている。本出願人らの実験によれば、貯留タンク２０内のパチンコ玉の貯留変化は、各貯留タンク２０の上流側から順次滞留するものであることが分かった。このため、玉量検出センサ４８は、ほぼ水平方向の直線状に配置し、優先貯留タンク２０の下流側にある玉量検出センサ４８が貯留量が上限に近づきつつあることを検出して図示しない玉返却装置の返却口を閉じるように制御されるものである。なお、図示しないが、パチンコ島台１の島端上部には、玉量検出センサ４８の検出信号に基づいて優先貯留タンク２０内の貯留量を報知する貯留レベル報知器が設けられている。
【００１７】
次に、貯留タンク２０，２１のより詳細な構造について図３乃至図５を参照して説明する。図３は、貯留タンク２０，２１と玉揚送装置５との関係を示す斜視図であり、図４は、貯留タンク２０，２１の内部を透視した状態の斜視図であり、図５は、優先貯留タンク２０の内部の合流部分の拡大側面図である。
【００１８】
まず、優先貯留タンク２０の構造について説明すると、優先貯留タンク２０は、パチンコ島台１のカウンター台板２６より下方の下部空間に設置される上面が開放した直方体状のタンク基台によって構成されている。タンク基台は、底板２２と側板２３と後板２４と前板２５とからなり、底板２２は、後板２４から前板２５に向かって傾斜していると共に一側の側板２３に向かっても僅かに傾斜しており、その傾斜下端側板２３側の下部隅角部に後に詳述する貯留玉バイパス誘導路３５及びアウト玉バイパス誘導路３４が設けられている。
【００１９】
また、優先貯留タンク２０の内部には、前端上部に上段プレート３０が傾斜状に固定され、その上段プレート３０の両サイドに所定の間隔を開けて一対の溢れ玉樋３３が接続されている。この左右一対の溢れ玉樋３３は、図示しないが、適宜間隔を置いてその一端が側板２３に蝶番によって固定され、その他端がカウンター台板２６の後端に適宜間隔を置いて固着される支柱２７に止着される調節金具２８に取り付けられている。しかして、調節金具２８は、溢れ玉樋３３の短辺方向の傾斜角度を調節するもので、溢れ玉樋３３の傾斜角度を、前記オーバーフローボックス１０の優先通路１１及び優先接続樋１８から流下するパチンコ玉や図示しないアウト玉回収箱から落下する大部分のパチンコ玉を優先貯留タンク２０の後板２４に向けて流下させるように作用し、その流下する過程で一部のパチンコ玉を一対の溢れ玉樋３３の間隔から優先貯留タンク２０の貯留空間に落下させるように調節されるものである。なお、溢れ玉樋３３を転動するパチンコ玉が後端まで到達することなく途中で落下する割合を調節するためには、前記調節金具２８の調節ネジによって行うことができる。なお、優先接続樋１８が接続される前板２５の上部一側には、溢れ玉入口２９が切り欠き形成されている。
【００２０】
また、上段プレート３０には、その下流側中央に上段プレート３０に落下したパチンコ玉を左右の溢れ玉樋３３に分岐するための分流突起板３１が突設され、その上流側中央に下方に落下する落下口３２が形成されている。この落下口３２は、オーバーフローされた過剰のパチンコ玉を優先貯留タンク２０の貯留部に落下させるためのものである。
【００２１】
また、優先貯留タンク２０の下流端部であって前記上段プレート３０の下方には、圧抜き板３６が傾斜状に設けられ、その圧抜き板３６の先端部が下方に折曲された折曲片３７となっている。この圧抜き板３６は、パチンコ玉が大量に貯留されている場合に、次に説明する各誘導路３４，３５を流下するパチンコ玉以外の貯留されているパチンコ玉の合流通路４７への流出を確実に行うためであると共に、非優先貯留タンク２１から移送されるパチンコ玉をスムーズに移送するための合流部４６を構成するものである。したがって、この圧抜き板３６の折曲片３７の先端と後述するアウト玉バイパス誘導路３４との間隔がパチンコ玉の直径よりも小さくなるように固定されていると共に、次に説明する誘導板３８の上面を覆うように固定されている。なお、折曲片３７の下端辺は、アウト玉バイパス誘導路３４の上端との間隔がパチンコ玉の直径よりも小さくなるだけでなく、例えば、アウト玉バイパス誘導路３４と貯留玉バイパス誘導路３５とが分離設置された場合の各誘導路３４，３５、及び誘導板３８の上端部との間隔がパチンコ玉の直径よりも小さくなるように形成することが望ましい。
【００２２】
また、タンク基台の底板２２の流下端（前端）には、底板２２を流下するパチンコ玉をその傾斜にしたがって導くためのほぼ三角形状の誘導板３８が固着されており、その誘導板３８の誘導先に合流通路４７が形成され、該合流通路４７の末端部に相当する前板２５に導出口３９が開設されている。導出口３９の外側には、玉揚送装置５の導入樋５ａに接続される連結樋５０が止着されている。
【００２３】
ところで、上記した合流通路４７の上流側には、優先貯留タンク２０の隅角部に敷設されるアウト玉バイパス誘導路３４及び貯留玉バイパス誘導路３５の流下端が臨むようになっている。アウト玉バイパス誘導路３４及び貯留玉バイパス誘導路３５は、上下に積層状に構成されるが、下段の貯留玉バイパス誘導路３５は、優先貯留タンク２０の長手方向寸法より若干短い長さであってその上流入口が優先貯留タンク２０の上流部分に臨むと共にその下流出口が合流通路４７からやや離れた上流側に臨むようになっている。一方、上段のアウト玉バイパス誘導路３４は、その上流端が優先貯留タンク２０の後板２４に接続されて前記アウト玉回収樋９ａに連通しており、その下流出口が合流通路４７の上流の直前位置に臨むようになっている。つまり、アウト玉バイパス誘導路３４の下流出口が貯留玉バイパス誘導路３５の下流出口よりも上方であってより下流側に臨むようになっている。なお、貯留玉バイパス誘導路３５の中程にも貯留玉を取り入れる取入口が形成されており、優先貯留タンク２０に貯留されているパチンコ玉であって上流部及び中流部に滞留しているパチンコ玉を取り込んで下流側に導き、長期間に亘って滞留玉が一か所に滞ることがないようにしている。なお、アウト玉バイパス誘導路３４と貯留玉バイパス誘導路３５とを必ずしも上下に重複させる必要はなく、分離して優先貯留タンク２０内に設置してもよいが、この場合でもアウト玉バイパス誘導路３４を流下するパチンコ玉が優先して合流通路４７に導かれるようにすれば良い。
【００２４】
このように、アウト玉バイパス誘導路３４の下流出口を貯留玉バイパス誘導路３５の下流出口及び底板２２を転動する玉の出口よりも前方で且つ上部に位置させることにより、アウト玉バイパス誘導路３４からの玉を優先的に合流通路４７に導き、アウト玉バイパス誘導路３４及びアウト玉回収樋９ａに使用済のパチンコ玉が滞留しないようにしている。なお、貯留玉バイパス誘導路３５の流出出口及び底板２２を転動する玉の出口から流出するパチンコ玉の合流通路４７への誘導においては、それらの間に優劣はなく均等に導かれるものである。なお、上記した構成のうち、アウト玉回収樋９ａとアウト玉バイパス誘導路３４とが第１の回収通路を構成するものである。
【００２５】
また、合流通路４７の下流側には、非優先貯留タンク２１側から移送されるパチンコ玉が導かれる移送玉通路４１が形成されている。この移送玉通路４１は、前記誘導板３８の下辺部に対して垂直状に立設される垂直板４０によって区画され、その垂直板４０と対面する部分の前板２５には、連絡開口４２が開設され、該連絡開口４２に連絡樋４３の下流端が接続されている。連絡樋４３の上流端は、非優先貯留タンク２１の前板２５ａに開設される連絡開口４２ａに接続されている。
【００２６】
ここで、非優先貯留タンク２１の構造について簡単に説明すると、非優先貯留タンク２１は、小型にしただけで優先貯留タンク２０とほぼ同じ内部構造を有し、上面が開放された直方体状のタンク基台から構成されている。タンク基台は、前方に向かって下り傾斜する底板２２ａと左右の側板２３ａと後板２４ａと前板２５ａとから構成されている。前板２５ａの上端一側には、前記非優先接続樋１９が接続される溢れ玉入口２９ａが形成され、その溢れ玉入口２９ａから流入するパチンコ玉を非優先貯留タンク２１の貯留部に誘導する溢れ玉樋３３ａが内側上端辺に沿って固定されている。なお、この溢れ玉樋３３ａは、一側側板２３ａに沿ってだけ設けられるものであり、非優先貯留タンク２１の貯留部側に傾斜して設けられている。また、底板２２ａの一側隅角部には、貯留玉バイパス誘導路３５ａが固定され、その貯留玉バイパス誘導路３５ａの上部にアウト玉バイパス誘導路３４ａが積層状に固定されている。アウト玉バイパス誘導路３４ａは、その上流端が後板２４ａに形成される回収樋接続口４４に接続され、その下流端出口が連絡開口４２ａの直前位置に臨むようになっている。なお、回収樋接続開口４４には、前述した一方のアウト玉回収樋９ｂの下流端が接続されるようになっている。更に、底板２２ａの連絡開口４２ａに対応しない側には、非優先貯留タンク２１に貯留されるパチンコ玉を連絡開口４２ａに向かって誘導する三角形状の誘導板３８ａが固着されている。なお、上記したアウト玉バイパス誘導路３４ａは、溢れ玉樋３３ａから落下するパチンコ玉の衝撃を緩和する緩衝部材４５（ゴム又は合成樹脂で形成されている）によって覆われている。
【００２７】
上記した構成からなる非優先貯留タンク２１においても、アウト玉回収樋９ｂから流入するアウト玉をアウト玉バイパス誘導路３４ａで優先的に連絡開口４２ａに導き、アウト玉の流出量が少なくなったときに非優先貯留タンク２１の貯留部に貯留されていたパチンコ玉が連絡開口４２ａに向かって誘導されるようになっている。連絡開口４２ａから流出したパチンコ玉は、連絡樋４３を介して優先貯留タンク２０の連絡開口４２から垂直板４０に衝突して移送玉通路４１に導かれる。移送玉通路４１に導かれたパチンコ玉は、合流通路４７に放出されるが、移送玉通路４１の下流端高さが合流通路４７よりも高く形成されているので、合流通路４７を流れるパチンコ玉の流れに上部から乗ってスムーズに導出口３９に導かれる。なお、上記した構成のうち、アウト玉回収樋９ｂとアウト玉バイパス誘導路３４ａと連絡樋４３とが第２の回収通路を構成するものである。
【００２８】
以上、実施形態に係るパチンコ島台１の構成について説明してきたが、本実施形態においては、多数のパチンコ機２が並設されると共にそのほぼ中央部にパチンコ玉を上部に揚送する玉揚送装置５を設置し、その玉揚送装置５の一側に並列されるパチンコ機２から排出されるパチンコ玉を回収する第１の回収通路としてのアウト玉回収樋９ａ，アウト玉バイパス誘導路３４と玉揚送装置５の他側に並設されるパチンコ機２から排出されるパチンコ玉を回収する第２の回収通路としてのアウト玉回収樋９ｂ，アウト玉バイパス誘導路３４ａ，連絡樋４３とが接続される優先貯留タンク２０が内蔵されたパチンコ島台１において、優先貯留タンク２０には、第１の回収通路９ａ，３４の一部であるアウト玉バイパス誘導路３４が内在されると共に、その内部下流側にアウト玉バイパス誘導路３４と第２の回収通路９ｂ，３４ａ，４３とからそれぞれ排出されるパチンコ玉の合流部４６が内部に貯留されるパチンコ玉の玉圧を受けない状態で形成され、該合流部４６から排出されるパチンコ玉のみを玉揚送装置５の導入樋５ａに供給するようにしたので、第２の回収通路９ｂ，３４ａ，４３から優先貯留タンク２０に移送されるパチンコ玉が優先貯留タンク２０に貯留される玉圧に邪魔されることなく優先貯留タンク２０内に移送され且つ合流部４６からスムーズに玉揚送装置５に供給されるものである。また、合流部４６を優先貯留タンク２０内に形成したので、合流部を優先貯留タンク２０の外側に形成する場合に比べて、優先貯留タンク２０から玉揚送装置５までの距離を短くすることができるため、優先貯留タンク２０の傾斜底板２２の下流端を低くすることができ、これによって優先貯留タンク２０の玉の貯留量を増大することができる。更に、予め合流部４６を貯留タンク２０内に形成したことにより、従来のように合流部を貯留タンクの外側に取り付ける作業を遊技場でしていた場合に比べて作業能率が向上すると共に、製造工場で大量生産することができるという利点もある。
【００２９】
また、本実施形態においては、優先貯留タンク２０は、傾斜状の底板２２と前板２５と後板２４と側板２３とによって上面が開放した直方体状のボックスとして構成され、合流部４６は、優先貯留タンク２０の下流端側の上方から前方上部を覆うように固定される圧抜き板３６，３７と、該圧抜き板３６，３７の下方であって優先貯留タンク２０の下流端側の底板２２に固定されて貯留玉を一方の側板２３に向けて誘導する誘導板３８と、によって形成される合流通路４７を含み、第１の回収通路９ａ，３４の末端であるアウト玉バイパス誘導路３４の端部を合流通路４７に臨ませると共に第２の回収通路９ｂ，３４ａ，４３の末端である連絡樋４３の端部を前板２５の圧抜き板３６より下部に形成される連絡開口４２に接続すると共に該連絡開口４２に対面する位置に連絡開口４２から排出されるパチンコ玉を合流通路４７に導く垂直板４０を立設することにより、第１の回収通路９ａ，３４、及び第２の回収通路９ｂ，３４ａ，４３を流下するパチンコ玉、優先貯留タンク２０に貯留されるパチンコ玉を合流通路４７でスムーズに合流させることができる。
【００３０】
更に、第１の回収通路９ａ，３４の貯留タンク内２０に内在される部分であるアウト玉バイパス誘導路３４の末端を合流通路４７の上流側で底板２２よりも高い位置に臨ませると共に、垂直板４０と前板２５とで形成される移送玉通路４１の末端を合流通路４７の下流側で底板２２よりも高い位置に臨ませることにより、図５に示すように、第１の回収通路９ａ，３４及び第２の回収通路９ｂ，３４ａ，４３から排出されるパチンコ玉を優先貯留タンク２０に貯留されるパチンコ玉より優先して合流通路４７に導いて玉揚送装置５の導入樋５ａに供給することができ、これにより、パチンコ機２で使用されて汚れたパチンコ玉を優先的に玉揚送装置５で研磨して揚送することができ、パチンコ玉の研磨効率を向上させることができると共に、長期的に見れば、優先貯留タンク２０に貯留されるパチンコ玉のほとんどが研磨済のパチンコ玉となって優先貯留タンク２０をきれいに保つことができる。
【００３１】
なお、上記した実施形態においては、第２の回収通路の一部が小型の非優先貯留タンク２１に内在されるものを示したが、アウト玉回収樋９ｂと連絡樋４３とを直接接続して非優先貯留タンクが存在しない形式のパチンコ島台であっても、あるいは優先貯留タンク２０とほぼ同じ大きさの非優先貯留タンクであってその内部に第２の回収通路の一部を内在する形式のパチンコ島台であっても良い。
【００３２】
【発明の効果】
以上、説明したところから明らかなように、本発明においては、多数のパチンコ機が並設されると共にそのほぼ中央部にパチンコ玉を上部に揚送する玉揚送装置を設置し、その玉揚送装置の一側に並設されるパチンコ機から排出されるパチンコ玉を回収する第１の回収通路と玉揚送装置の他側に並設されるパチンコ機から排出されるパチンコ玉を回収する第２の回収通路とが接続される貯留タンクが内蔵されたパチンコ島台において、前記貯留タンクには、前記第１の回収通路の一部が内在され、その内部下流側に前記第１の回収通路と第２の回収通路とからそれぞれ排出されるパチンコ玉の合流部が当該貯留タンクの下流端側に形成されると共に、当該合流部が該合流部の上部を覆うように固定される圧抜き板を設けることにより内部に貯留されるパチンコ玉の玉圧を受けない状態で形成され、前記合流部から排出されるパチンコ玉を前記玉揚送装置の導入樋に供給するようにしたので、第２の回収通路から貯留タンクに移送されるパチンコ玉が貯留タンクに貯留される玉圧に邪魔されることなく貯留タンク内に移送され且つ合流部からスムーズに玉揚送装置に供給されるものである。また、合流部を貯留タンク内に形成したので、合流部を貯留タンクの外側に形成する場合に比べて、貯留タンクから玉揚送装置までの距離を短くすることができるため、貯留タンクの傾斜底板の下流端を低くすることができ、これによって貯留タンクの玉の貯留量を増大することができる。更に、予め合流部を貯留タンク内に形成したことにより、従来のように合流部を貯留タンクの外側に取り付ける作業を遊技場でしていた場合に比べて作業能率が向上すると共に、製造工場で大量生産することができるという利点もある。
【００３３】
また、前記貯留タンクは、傾斜状の底板と前板と後板と側板とによって上面が開放した直方体状のボックスとして構成され、前記合流部は、前記圧抜き板の下方であって前記貯留タンクの下流端側の底板に固定されて貯留玉を一方の側板に向けて誘導する誘導板によって形成される合流通路を含み、前記第１の回収通路の末端であるアウト玉バイパス誘導路の端部を前記合流通路に臨ませると共に前記第２の回収通路の末端である連絡樋の端部を前記前板の前記圧抜き板より下部に形成される連絡開口に接続し、該連絡開口に対面する位置に連絡開口から排出されるパチンコ玉を前記合流通路に導く垂直板を立設することにより、第１の回収通路、及び第２の回収通路を流下するパチンコ玉、貯留タンクに貯留されるパチンコ玉を合流通路でスムーズに合流させることができる。
【００３４】
更に、前記第１の回収通路の貯留タンク内に内在される部分である前記アウト玉バイパス誘導路の末端を前記合流通路の上流側で前記底板よりも高い位置に臨ませると共に、前記垂直板と前記前板とで形成される移送玉通路の末端を前記合流通路の下流側で前記底板よりも高い位置に臨ませ、前記第１の回収通路及び前記第２の回収通路から排出されるパチンコ玉を前記貯留タンクに貯留されるパチンコ玉より優先して前記玉揚送装置の導入樋に供給することにより、パチンコ機で使用されて汚れたパチンコ玉を優先的に玉揚送装置で研磨して揚送することができ、パチンコ玉の研磨効率を向上させることができると共に、長期的に見れば、貯留タンクに貯留されるパチンコ玉のほとんどが研磨済のパチンコ玉となって貯留タンクをきれいに保つことができる。
【図面の簡単な説明】
【図１】  実施形態に係るパチンコ島台の内部を一側から見た側面図である。
【図２】  パチンコ島台のほぼ中央部を同じく一側から見た側面図であって玉揚送装置部分を省略してオーバーフローボックス部分を表示したものである。
【図３】  貯留タンクと玉揚送装置との関係を示す斜視図である。
【図４】  貯留タンクの内部を透視した状態の斜視図である。
【図５】  貯留タンクの内部の合流部分の拡大側面図である。
【符号の説明】
１  パチンコ島台
２  パチンコ機
５  玉揚送装置
５ａ  導入樋
９ａ  アウト玉回収樋（第１の回収通路）
９ｂ  アウト玉回収樋（第２の回収通路）
１０  オーバーフローボックス
１１  優先通路
１２  非優先通路
２０  優先貯留タンク（貯留タンク）
２１  非優先貯留タンク
２２  底板
２３  側板
２４  後板
２５  前板
３３  溢れ玉樋
３４  アウト玉バイパス誘導路（第１の回収通路）
３４ａ  アウト玉バイパス誘導路（第２の回収通路）
３６  圧抜き板
３７  折曲片
３８  誘導板
４０  垂直板
４１  移送玉通路
４２  連絡開口
４３  連絡樋（第２の回収通路）
４６  合流部
４７  合流通路
【図１】
0004081829.tif 000002
【図２】
0004081829.tif 000003
【図３】
0004081829.tif 000004
【図４】
0004081829.tif 000005
【図５】
0004081829.tif 000006